【手続補正書】
【提出日】平成17年11月8日(2005.11.8)
【手続補正１】
【補正対象書類名】明細書
【補正対象項目名】特許請求の範囲
【補正方法】変更
【補正の内容】
【特許請求の範囲】
【請求項１】  不飽和脂肪アルコールおよび飽和脂肪アルコールを本質的に含んでなる、ヨウ素価範囲65〜85の不飽和パーム油脂肪アルコールであって、
上記不飽和脂肪アルコールおよび飽和脂肪アルコールは、式：
【化１】
R1OH      （I）
〔式中、R1は、飽和または不飽和で直鎖または分岐鎖のC14〜C20アルキル基である。〕で示され、かつ
（a）パーム油脂肪酸のメチルエステルを分別して、主成分飽和C16留分の蒸留物および主成分不飽和C16／C18留分の塔底生成物を形成し、次いで
（b）塔底生成物を、二重結合を保持しつつ水素添加して、対応するアルコールを形成することによって得られる
ことを特徴とする脂肪アルコール。
【請求項２】  不飽和脂肪アルコールおよび飽和脂肪アルコールを本質的に含んでなる、ヨウ素価範囲65〜85の不飽和パーム油脂肪アルコールを製造する方法であって、
上記不飽和脂肪アルコールおよび飽和脂肪アルコールは、式：
【化２】
R1OH      （I）
〔式中、R1は、飽和または不飽和で直鎖または分岐鎖のC14〜C20アルキル基である。〕で示され、かつ
（a）パーム油脂肪酸のメチルエステルを分別して、主成分飽和C16留分の蒸留物および主成分不飽和C16／C18留分の塔底生成物を形成し、次いで
（b）塔底生成物を、二重結合を保持しつつ水素添加して、対応するアルコールを形成することによって得る
ことを特徴とする方法。
【手続補正２】
【補正対象書類名】明細書
【補正対象項目名】０００２
【補正方法】変更
【補正の内容】
【０００２】
（従来の技術）
化学産業において、不飽和脂肪アルコールは、多数の製品に関して重要な中間体で、例えば、界面活性剤やスキンケアー製品の製造に採用されている。これに関する文献として、例えば次のようなものがある：Seifen-Oele-Fette-Wachse (Soaps-Oils-Fats-Waxes) 109, 225 (1983)。不飽和脂肪アルコールは、多少とも不飽和の脂肪酸のメチルエステルを用い、このエステルをクロムまたは亜鉛含有混合触媒などの存在下に水素添加して製造される〔Ulmann's Encyclopedia of Industrial Chemistry, Verlag Chemie, Weinheim, 4版, 11巻, 436頁以降〕。本件出願人により行われているような、従来技術の大規模製造法によれば、動物油脂を用い、水素添加によって調製された不飽和脂肪アルコールを、例えば蒸留釜温度220〜250℃および減圧条件下（1〜20 mbar、蒸留釜の塔頂で測定）で蒸留している。不飽和脂肪アルコールの製造は、コスト高となるため、その蒸留は、可能な限り原料の損失を少なくするように実施される。事実、このようにすれば、理論値の約90％の収率および対応する約10％の損失を達成できるが、得られる生成物は、特殊で固有な臭気を示す。さらに、従来技術の不飽和脂肪アルコールは、不満足な貯蔵安定性および低温挙動性しか示さないという、欠点を有する。
【手続補正３】
【補正対象書類名】明細書
【補正対象項目名】０００３
【補正方法】変更
【補正の内容】
【０００３】
用途の観点から、ヨウ素価50〜80の不飽和脂肪アルコールが特に好適である。なぜなら、このような不飽和脂肪アルコールは、化粧品の用途に適した凝固点を有するからである。上記ヨウ素価範囲を有する不飽和脂肪アルコールは、現在、その大半が動物油脂を原料としている。所望のヨウ素価範囲は、異なるヨウ素価範囲を有する異なる生成物のブレンドによって設定することができる。所望のヨウ素価範囲は、分別法によって調節するのは不可能である。なぜなら、分別法の間、動物系脂肪酸または脂肪アルコールのヨウ素価（またはヨウ素価範囲）は、実質的に一定のままだからである。しかしながら、動物油脂は、非常に特異的な構造を有するという、欠点がある。例えば、動物油脂は、アミドのような窒素含有化合物や、コレステロールのようなステロイドを含んでおり、前記したような不快な生成物臭気の直接または間接的な原因となっている。窒素含有化合物は、二次反応によって形成しうるが、この化合物は、生成物の安定性、特に酸化安定性を損ない、また生成物を変色しうる。加えて、牛脂を用いて製造される生成物は、BSEに関して継続的に論議されていることから、消費者から非常に批判的に見られている。したがって、化粧品業界では、引き続き高品質で純粋な原料が要求されているが、この要求は、一般に、より複雑な工業的製法および付加的な精製工程によって、はじめて満たされるにすぎない。不飽和脂肪アルコールを用いる場合、特に、生成物の色彩や臭気や有利な低温挙動に関し、その改善が必要である。加えて近年、消費者は、純粋な植物製品に対し大きな価値を置き、その購入態様が変化している。既知の植物脂肪アルコールでは、そのヨウ素価は20未満であるか、または100を超えるほどに非常に高い。前記したヨウ素価範囲20〜95は、工業的用途の観点から特に好適であるが、このようなヨウ素価範囲を有する脂肪アルコールは、未だ知られていない。全く異なるヨウ素価を有する脂肪アルコールをブレンドしても、満足のゆく生成物は得ることができない。DE A1 4335781（Henkel）の開示方法によれば、まず、植物油などの原料中に存在するトリグリセリドを加圧分解して、グリセロールおよび脂肪酸を形成し、次いで、後者の脂肪酸をメタノールによりエステル化するか、または出発物質を直接エステル交換して、脂肪酸メチルエステルを形成し、その後、脂肪酸メチルエステルを水素添加して対応するアルコールを形成している。次いで、脂肪酸メチルエステルまたは水添生成物を、所定量の前留分の除去によって分別し、これにより、目的生成物は、ヨウ素価20〜110および共役系含量（Konjuengehalt）4.5重量％未満を有することになる。この製造法は、ヨウ素価範囲約50〜65の不飽和脂肪アルコールを製造する場合、パーム油のような植物原料に対し問題なく適用できるが、パーム油を用いて、ヨウ素価範囲約65〜85の不飽和脂肪アルコールを製造する場合には、意外にも、全く満足のゆかない結果しか得られないことが判明した。
【手続補正４】
【補正対象書類名】明細書
【補正対象項目名】０００４
【補正方法】変更
【補正の内容】
【０００４】
したがって、本発明の目的は、ヨウ素価範囲65〜85の不飽和パーム油脂肪アルコールであって、動物油脂系の不飽和脂肪アルコールに比し、より大きい酸化安定性または良好な低温挙動を示すような不飽和パーム油脂肪アルコールを提供することである。また本発明の目的は、著しく純度が高い生成物を提供することである。
【手続補正５】
【補正対象書類名】明細書
【補正対象項目名】０００７
【補正方法】変更
【補正の内容】
【０００７】
本発明の別の要旨によれば、本発明は、不飽和脂肪アルコールおよび飽和脂肪アルコールを本質的に含んでなる、ヨウ素価範囲65〜85の不飽和パーム油脂肪アルコールを製造する方法であって、
上記不飽和脂肪アルコールおよび飽和脂肪アルコールは、式：
【化４】
R1OH      （I）
〔式中、R1は、飽和または不飽和で直鎖または分岐鎖のC14〜C20アルキル基である。〕で示され、かつ
（a）パーム油脂肪酸のメチルエステルを分別して、主成分飽和C16留分の蒸留物および主成分不飽和C16／C18留分の塔底生成物を形成し、次いで
（b）塔底生成物を、二重結合を保持しつつ水素添加して、対応するアルコールを形成することによって得る
ことを特徴とする方法を提供する。
【手続補正６】
【補正対象書類名】明細書
【補正対象項目名】００１０
【補正方法】変更
【補正の内容】
【００１０】
（産業上の利用の可能性）
本発明の方法によって得られる不飽和パーム油脂肪アルコールは、着色度が低く、また臭気もほどんどなく、かつ有利にも低温挙動を示す。このため、本発明の不飽和パーム油脂肪アルコールは、洗剤、リンス剤および洗浄剤並びにヘアケアおよびボディケア製品の製造用の原料として好適であり、組成物を基準に、1〜50重量％、好適には5〜30重量％の量で使用することができる。